【手続補正書】
【提出日】平成19年6月11日(2007.6.11)
【手続補正１】
【補正対象書類名】明細書
【補正対象項目名】特許請求の範囲
【補正方法】変更
【補正の内容】
【特許請求の範囲】
【請求項１】
シングルモードまたはマルチモードの光ファイバー通信システム用の光波長分割マルチプレクサーおよびデマルチプレクサーであって、ｎ個のチャネルがｎ個の異なる波長を有して単一の光ファイバーケーブルを通って伝送され、装置の光学的結合、レンズおよび位置合わせが、予め製造された部品を成形および組み合わせることによって達成され、そうでない場合に必要となっていた製造後の光路の位置合わせおよび調整を不要とした、光波長分割マルチプレクサーおよびデマルチプレクサーにおいて、 
平坦な上面と平坦な下面とを有する光学ブロックと、 
前記光学ブロックの前記平坦な上面によって担持された反射被覆と、 
前記光学ブロックの前記平坦な下面に担持された複数（ｎ個）のフィルターであって、前記ｎ個の異なる波長を別々に分けるようになっている、複数（ｎ個）のフィルターと、
前記光学ブロックの前記平坦な下面が固定される、平坦な上面を有する、成形された結合モジュールであって、複数（ｎ個）の非球面レンズ表面を担持する下面を有し、ここで前記ｎ個の非球面レンズ表面がそれぞれ、前記ｎ個のフィルターのそれぞれと光学的に位置合わせされている、成形された結合モジュールと、
前記光ファイバーケーブルの端部を受け入れるための光ファイバーケーブル用のレセプタクルと、
前記光ファイバーケーブル用のレセプタクルと光学的に位置合わせされたコリメーティングレンズと、
前記コリメーティングレンズと前記成形された結合モジュールの前記平坦な上面との間で、前記コリメーティングレンズを前記複数（ｎ個）のフィルターと光学的に位置合わせさせるビーム反射手段とを備え、
前記光ファイバーケーブルを通って入ってきた前記ｎ個の光チャネルが、前記光学ブロックの上面の前記反射被覆と前記複数（ｎ個）のフィルターとの間で反射され、さらに、これらｎ個の光チャネルのそれぞれが、前記ｎ個のフィルターのうちの１個と、前記ｎ個の非球面レンズ表面のうちの１個とを通過することを特徴とする、光波長分割マルチプレクサーおよびデマルチプレクサー。
【請求項２】
前記成形された結合モジュールが、その下面に一体的に成形された前記ｎ個の非球面レンズ表面を有する、請求項１記載の装置。
【請求項３】
前記光ファイバーケーブル用のレセプタクルが、前記成形された結合モジュール内に一体的に成形されている、請求項１記載の装置。
【請求項４】
前記コリメーティングレンズが、前記成形された結合モジュール内に一体的に成形されている、請求項３記載の装置。
【請求項５】
前記複数（ｎ個）のフィルターが、ｎ個の個別のファブリ・ペロフィルターを構成する、請求項１記載の装置。
【請求項６】
前記成形された結合モジュールが、その上面に位置合わせ用チャンネルをさらに有し、この位置合わせ用チャンネルに、前記ｎ個の個別のファブリ・ペロフィルターが接着剤を介して固定されている、請求項５記載の装置。
【請求項７】
前記成形された結合モジュールが、前記位置合わせ用チャンネルに対して垂直に延びるフィルター位置決め表面をさらに有し、このフィルター位置決め表面が、前記複数のフィルターが抗して配される受座を形成する、請求項６記載の装置。
【請求項８】
前記成形された結合モジュールが、その上面に形成された複数のレリーフ状の切り込みをさらに有し、これらのレリーフ状の切り込みが前記位置合わせ用チャンネルに対して横方向に延び、さらに前記レリーフ状の切り込みが接着剤を受け入れるようになっている、請求項７記載の装置。
【請求項９】
前記成形された結合モジュールに適合した屈折率を有する接着剤をさらに有し、この接着剤が前記成形された結合モジュールの上面の全体と、前記光学ブロックの下面の全体と、前記フィルターの下面とを覆い、さらに前記位置合わせ用チャンネルと前記レリーフ状の切り込みとに完全に充てんされる、請求項８記載の装置。
【請求項１０】
シングルモードまたはマルチモードの光ファイバー通信システム用の光波長分割マルチプレクサーおよびデマルチプレクサーであって、ｎ個のチャネルがｎ個の異なる波長を有して単一の光ファイバーケーブルを通って伝送され、装置の光学的結合、レンズおよび位置合わせが、予め製造された２個の部品を組み合わせることによって達成され、そうでない場合に必要となっていた製造後の光路の位置合わせおよび調整を不要とした、光波長分割マルチプレクサーおよびデマルチプレクサーにおいて、
平坦な上面と平坦な下面とを有する光学ブロックと、
前記光学ブロックの前記平坦な上面によって担持された反射表面と、
前記光学ブロックの前記平坦な下面に担持された複数（ｎ個）の個別のファブリ・ペロフィルターであって、前記ｎ個の異なる波長を別々に分けるようになっている、複数（ｎ個）の個別のファブリ・ペロフィルターと、
前記光学ブロックの前記平坦な下面が固定される、平坦な上面を有する、成形された一体式の結合モジュールとを備え、
前記成形された結合モジュールは、前記光ファイバーケーブルの端部を受け入れるための、成形された光ファイバーケーブル用のレセプタクルを有し、
前記成形された結合モジュールはさらに、前記光ファイバーケーブル用のレセプタクルと光学的に位置合わせされた、一体的に成形されたコリメーティングレンズを有し、
前記成形された結合モジュールはさらに、複数（ｎ個）の非球面レンズ表面が一体的に成形された下面であって、前記ｎ個の非球面レンズのそれぞれが、前記ｎ個のファブリ・ペロフィルターのそれぞれと光学的に位置合わせされた下面を有し、
前記成形された結合モジュールはさらに、前記コリメーティングレンズと前記成形された結合モジュールの前記平坦な上面との間で、前記コリメーティングレンズを前記複数（ｎ個）のファブリ・ペロフィルターと光学的に位置合わせさせる、一体的に形成されたビーム反射手段を有し、
前記光ファイバーケーブルを通って入ってきた前記ｎ個の光チャネルが、前記成形された結合モジュールの上面の前記反射被覆と前記複数（ｎ個）の個別のファブリ・ペロフィルターとの間で反射され、さらにこれらｎ個の光チャネルのそれぞれが、前記ｎ個のフィルターのうちの１個と、前記ｎ個の成形された非球面レンズ表面のうちの１個とを通過することを特徴とする、光波長分割マルチプレクサーおよびデマルチプレクサー。
【請求項１１】
前記成形された結合モジュールが、その上面に位置合わせ用チャンネルをさらに有し、この位置合わせ用チャンネルに、前記ｎ個の個別のファブリ・ペロフィルターが接着剤を介して固定されている、請求項１０記載の装置。
【請求項１２】
前記成形された結合モジュールが、前記位置合わせ用チャンネルに対して垂直に延びるフィルター位置決め表面をさらに有し、このフィルター位置決め表面が、前記複数のフィルターが抗して配される受座を形成する、請求項１１記載の装置。
【請求項１３】
前記成形された結合モジュールが、その上面に形成された複数のレリーフ状の切り込みをさらに有し、これらのレリーフ状の切り込みが前記位置合わせ用チャンネルに対して横方向に延び、さらに前記レリーフ状の切り込みが接着剤を受け入れるようになっている、請求項１０記載の装置。
【請求項１４】
前記成形された結合モジュールに適合した屈折率を有する接着剤をさらに有し、この接着剤が前記成形された結合モジュールの上面の全体と、前記光学ブロックの下面の全体と、前記フィルターの下面とを覆い、さらに前記位置合わせ用チャンネルと前記レリーフ状の切り込みとに完全に充てんされる、請求項１３記載の装置。
【請求項１５】
シングルモードまたはマルチモードの光ファイバー通信システム用の光波長分割マルチプレクサーおよびデマルチプレクサー装置であって、ｎ個のチャネルがｎ個の異なる波長を有して単一の光ファイバーケーブルを通って伝送される光波長分割マルチプレクサーおよびデマルチプレクサー装置において、
平坦な上面と平坦な下面とを有する光学ブロックと、
前記光学ブロックの前記平坦な上面によって担持された反射被覆と、
前記光学ブロックの前記平坦な下面に担持された複数（ｎ個）のフィルターであって、前記ｎ個の異なる波長を別々に分けるようになっている、複数（ｎ個）のフィルターと、
複数（ｎ個）のレンズ表面を担持する下面を有し、ここで前記ｎ個のレンズ表面がそれぞれ、前記ｎ個のフィルターのそれぞれと光学的に位置合わせされている、成形された結合モジュールと、
前記シングルモードまたはマルチモードの光ファイバーケーブルの端部を受け入れるための光ファイバーケーブル用のレセプタクルと、
前記光ファイバーケーブル用のレセプタクルと光学的に位置合わせされたコリメーティングレンズと、
前記コリメーティングレンズと前記平坦な上面との間で、前記コリメーティングレンズを前記複数（ｎ個）のフィルターと光学的に位置合わせさせるビーム反射手段とを備え、
前記光ファイバーケーブルを通って入ってきた前記ｎ個の光チャネルが、前記光学ブロックの上面の前記反射被覆と前記ｎ個の一連のフィルターとの間で反射され、さらに、これらｎ個の光チャネルのそれぞれが、前記ｎ個のフィルターのうちの１個と、前記ｎ個のレンズ表面のうちの１個とを通過し、
前記レンズ表面は非球面であり、前記成形された結合モジュールは、前記光学ブロックの前記平坦な下面が固定される、平坦な上面を有し、
装置の光学的結合、レンズおよび位置合わせが、予め製造された成形された結合モジュールと、予め製造された光学ブロックとを成形および組み合わせることによって達成されることを特徴とする、光波長分割マルチプレクサーおよびデマルチプレクサー装置。
【請求項１６】
前記成形された結合モジュールが、その下面に一体的に成形された前記ｎ個の非球面レンズ表面を有する、請求項１５記載の装置。
【請求項１７】
前記光ファイバーケーブル用のレセプタクルが、前記成形された結合モジュール内に一体的に成形されている、請求項１５記載の装置。
【請求項１８】
前記コリメーティングレンズが、前記成形された結合モジュール内に一体的に成形されている、請求項１７記載の装置。
【請求項１９】
前記複数（ｎ個）のフィルターが、ｎ個の個別のファブリ・ペロフィルターを構成する、請求項１５記載の装置。
【請求項２０】
前記成形された結合モジュールが、その上面に位置合わせ用チャンネルをさらに有し、この位置合わせ用チャンネルに、前記ｎ個の個別のファブリ・ペロフィルターが接着剤を介して固定されている、請求項１９記載の装置。
【請求項２１】
前記成形された結合モジュールが、前記位置合わせ用チャンネルに対して垂直に延びるフィルター位置決め表面をさらに有し、このフィルター位置決め表面が、前記複数のフィルターが抗して配される受座を形成する、請求項２０記載の装置。
【請求項２２】
前記成形された結合モジュールが、その上面に形成された複数のレリーフ状の切り込みをさらに有し、これらのレリーフ状の切り込みが前記位置合わせ用チャンネルに対して横方向に延び、さらに前記レリーフ状の切り込みが接着剤を受け入れるようになっている、請求項２１記載の装置。
【請求項２３】
前記成形された結合モジュールに適合した屈折率を有する接着剤をさらに有し、この接着剤が前記成形された結合モジュールの上面の全体と、前記光学ブロックの下面の全体と、前記フィルターの下面とを覆い、さらに前記位置合わせ用チャンネルと前記レリーフ状の切り込みとに完全に充てんされる、請求項２２記載の装置。
【請求項２４】
前記光ファイバーケーブル用のレセプタクルと前記コリメーティングレンズとが、前記成形された結合モジュール内に一体的に成形され、
前記成形された結合モジュールは、その下面に一体的に成形された前記ｎ個の非球面レンズ表面を有し、
装置の光学的結合、レンズおよび位置合わせが、予め製造された２個の部品を互いに組み合わせることによって達成される、請求項１９乃至２３のいずれか記載の装置。